(57)【要約】【課題】半嵌合状態を検知することができるコネクタにおいて、挿入力を低減することができ、サイズの大型化を抑制することができるコネクタを提供する。【解決手段】互いに嵌合する一対のハウジング３，５と、この一対のハウジング３，５に嵌合してハウジング３，５同士の半嵌合状態を検知する検知部材７とを備えたコネクタ１において、雄ハウジング３に突設され頂点１５から一対のハウジング３，５の嵌合方向と嵌合解除方向に向けてそれぞれ傾斜する傾斜面１７，１９が形成されたリブ２１と、雌ハウジング５に撓み可能に設けられ一対のハウジング３，５が嵌合するとき嵌合方向に向けて傾斜する傾斜面１７と当接し頂点１５を超えたときに嵌合解除方向に傾斜する傾斜面１９と当接して雄ハウジング３を雌ハウジング５側に引き込むアーム２３とを有した。【選択図】図１
2010225391.tif 000002
【特許請求の範囲】
【請求項１】
互いに嵌合する一対のハウジングと、この一対のハウジングに嵌合してハウジング同士の半嵌合状態を検知する検知部材とを備えたコネクタであって、
前記一対のハウジングのうち一方のハウジングに突設されたロック部と、他方のハウジングに撓み可能に設けられ前記一対のハウジングの嵌合状態で前記ロック部と係止可能なロックアームとを備え、前記検知部材には前記ロック部と前記ロックアームとが係止状態であるとき前記一対のハウジングと前記検知部材とを嵌合可能にする規制アームが設けられ、
前記一方のハウジングに突設され頂点から前記一対のハウジングの嵌合方向と嵌合解除方向に向けてそれぞれ傾斜する傾斜面が形成されたリブと、前記他方のハウジングに撓み可能に設けられ前記一対のハウジングが嵌合するとき前記嵌合方向に向けて傾斜する傾斜面と当接し前記頂点を超えたときに前記嵌合解除方向に傾斜する傾斜面と当接して前記一方のハウジングを前記他方のハウジング側に引き込むアームとを有することを特徴とするコネクタ。
【請求項２】
請求項１記載のコネクタであって、
前記検知部材には、前記アームが前記頂点近傍に達したときに前記アームの撓みを規制して前記アームを前記リブ側に押圧させる規制部が設けられていることを特徴とするコネクタ。
【請求項３】
請求項１又は２記載のコネクタであって、
前記規制アームは前記検知部材に撓み可能に前記ロックアームの上部に設けられ、前記他方のハウジングには前記ロックアームが前記ロック部の上部に位置したとき前記規制アームと当接して前記一対のハウジングと前記検知部材とを嵌合不能にさせる規制当接部が設けられていることを特徴とするコネクタ。
【発明の詳細な説明】
【技術分野】
【０００１】
本発明は、半嵌合状態を検知することができるコネクタに関する。
【背景技術】
【０００２】
従来、ハウジング同士の半嵌合状態を検知するコネクタとしては、互いに嵌合する一対のハウジングと、一方のハウジングに設けられたロック突部と、他方のハウジングに設けられロック突部に係止されるロックアームと、他方のハウジングに摺動可能に設けられた移動体と、他方のハウジングと移動体との間に設けられた伸縮可能な付勢バネとを備えたコネクタが知られている（例えば、特許文献１参照）。
【０００３】
このコネクタでは、一対のハウジングの嵌合時に、移動体が一方のハウジングと当接することにより、移動体と他方のハウジングとの間で付勢バネが弾縮される。ロックアームとロック突部とが係合する（両ハウジングが正規に嵌合する）と、付勢バネと移動体との仮係止が外れ、付勢バネが弾縮状態から開放される。これに対し、両ハウジングが正規の嵌合状態に至る前に嵌合操作が停止されると、弾縮された付勢バネの弾発力によって両ハウジングが離間され、半嵌合状態を検知することができる。
【先行技術文献】
【特許文献】
【０００４】
【特許文献１】特開２００５−１９７１６７号公報
【発明の概要】
【発明が解決しようとする課題】
【０００５】
しかしながら、上記のようなコネクタでは、半嵌合状態を検知する手段として付勢バネを用いているが、この付勢バネが有する弾発力によってハウジング同士を嵌合させる際の挿入力を大きくする必要があり、ハウジングの挿入力が増加してしまっていた。
【０００６】
また、半嵌合状態を検知する手段としては、付勢バネの他に移動体を用いており、部品点数が増加すると共に、半嵌合状態を検知させるために有する必要面積が大きくなり、コネクタのサイズが大型化してしまっていた。
【０００７】
そこで、この発明は、半嵌合状態を検知することができるコネクタにおいて、挿入力を低減することができ、サイズの大型化を抑制することができるコネクタの提供を目的としている。
【課題を解決するための手段】
【０００８】
請求項１記載の発明は、互いに嵌合する一対のハウジングと、この一対のハウジングに嵌合してハウジング同士の半嵌合状態を検知する検知部材とを備えたコネクタであって、前記一対のハウジングのうち一方のハウジングに突設されたロック部と、他方のハウジングに撓み可能に設けられ前記一対のハウジングの嵌合状態で前記ロック部と係止可能なロックアームとを備え、前記検知部材には前記ロック部と前記ロックアームとが係止状態であるとき前記一対のハウジングと前記検知部材とを嵌合可能にする規制アームが設けられ、前記一方のハウジングに突設され頂点から前記一対のハウジングの嵌合方向と嵌合解除方向に向けてそれぞれ傾斜する傾斜面が形成されたリブと、前記他方のハウジングに撓み可能に設けられ前記一対のハウジングが嵌合するとき前記嵌合方向に向けて傾斜する傾斜面と当接し前記頂点を超えたときに前記嵌合解除方向に傾斜する傾斜面と当接して前記一方のハウジングを前記他方のハウジング側に引き込むアームとを有することを特徴とする。
【０００９】
請求項２記載の発明は、請求項１記載のコネクタであって、前記検知部材には、前記アームが前記頂点近傍に達したときに前記アームの撓みを規制して前記アームを前記リブ側に押圧させる規制部が設けられていることを特徴とする。
【００１０】
請求項３記載の発明は、請求項１又は２記載のコネクタであって、前記規制アームは前記検知部材に撓み可能に前記ロックアームの上部に設けられ、前記他方のハウジングには前記ロックアームが前記ロック部の上部に位置したとき前記規制アームと当接して前記一対のハウジングと前記検知部材とを嵌合不能にさせる規制当接部が設けられていることを特徴とする。
【発明の効果】
【００１１】
請求項１のコネクタは、検知部材にロック部とロックアームとが係止状態であるとき一対のハウジングと検知部材とを嵌合可能にする規制アームが設けられているので、ロック部とロックアームとが係止していないときには一対のハウジングと検知部材とが嵌合することができず、一対のハウジングが半嵌合状態であることを検知することができる。
【００１２】
このようなコネクタにおいて、他方のハウジングに設けられたアームが一対のハウジングが嵌合するとき嵌合方向に向けて傾斜する傾斜面と当接し頂点を超えたときに嵌合解除方向に傾斜する傾斜面と当接して一方のハウジングを他方のハウジング側に引き込むので、一対のハウジングを嵌合する際の挿入力を低減させることができる。
【００１３】
また、アームとリブとで嵌合方向のみの挿入操作で一対のハウジング同士を嵌合させることができるので、部品点数の増加や必要面積の増加を抑制でき、コネクタのサイズの大型化を抑制することができる。
【００１４】
従って、半嵌合状態を検知することができるコネクタにおいて、挿入力を低減することができ、サイズの大型化を抑制することができる。
【００１５】
請求項２のコネクタは、検知部材にアームが頂点近傍に達したときにアームの撓みを規制してアームをリブ側に押圧させる規制部が設けられているので、リブの頂点近傍でアームがリブを引き込む力を強化することができ、より挿入力を低減することができる。
【００１６】
請求項３のコネクタは、他方のハウジングにロックアームがロック部の上部に位置したとき規制アームと当接して一対のハウジングと検知部材とを嵌合不能にさせる規制当接部が設けられているので、ロックアームとロック部とが係止していない、すなわち一対のハウジングが半嵌合状態であるときには規制アームと規制当接部とが当接することによって、一対のハウジングと検知部材とが嵌合不能となり、確実に一対のハウジングの半嵌合状態を検知することができる。
【図面の簡単な説明】
【００１７】
【図１】本発明の実施の形態に係るコネクタの分解斜視図である。
【図２】（ａ）本発明の実施の形態に係る雄ハウジングの斜視図である。（ｂ）図２（ａ）の要部拡大断面図である。
【図３】（ａ）本発明の実施の形態に係る雌ハウジングの斜視図である。（ｂ）図３（ａ）の要部拡大断面図である。
【図４】（ａ）本発明の実施の形態に係る検知部材の斜視図である。（ｂ）図４（ａ）の要部拡大断面図である。
【図５】本発明の実施の形態に係るコネクタの嵌合を示す側面図である。
【図６】（ａ）本発明の実施の形態に係るコネクタの嵌合を示す斜視図である。（ｂ），（ｃ）図６（ａ）の要部拡大断面図である。
【図７】（ａ）本発明の実施の形態に係るコネクタの嵌合を示す斜視図である。（ｂ）図７（ａ）の要部拡大断面図である。
【図８】（ａ）本発明の実施の形態に係るコネクタの嵌合を示す斜視図である。（ｂ），（ｃ）図８（ａ）の要部拡大断面図である。
【図９】（ａ）本発明の実施の形態に係るコネクタの嵌合を示す斜視図である。（ｂ），（ｃ）図９（ａ）の要部拡大断面図である。
【発明を実施するための形態】
【００１８】
図１〜図９を用いて本発明の実施の形態に係るコネクタについて説明する。
【００１９】
本実施の形態に係るコネクタ１は、互いに嵌合する一対のハウジング３，５と、この一対のハウジング３，５に嵌合してハウジング３，５同士の半嵌合状態を検知する検知部材７とを備えている。また、一方のハウジングとしての雄ハウジング３に突設されたロック部９と、他方のハウジングとしての雌ハウジング５に撓み可能に設けられ一対のハウジング３，５の嵌合状態でロック部９と係止可能なロックアーム１１とを備え、検知部材７にはロック部９とロックアーム１１とが係止状態であるとき一対のハウジング３，５と検知部材７とを嵌合可能にする規制アーム１３が設けられている。
【００２０】
そして、雄ハウジング３に突設され頂点１５から一対のハウジング３，５の嵌合方向と嵌合解除方向に向けてそれぞれ傾斜する傾斜面１７，１９が形成されたリブ２１と、雌ハウジング５に撓み可能に設けられ一対のハウジング３，５が嵌合するとき嵌合方向に向けて傾斜する傾斜面１７と当接し頂点１５を超えたときに嵌合解除方向に傾斜する傾斜面１９と当接して雄ハウジング３を雌ハウジング５側に引き込むアーム２３とを有する。
【００２１】
また、検知部材７には、アーム２３が頂点１５近傍に達したときにアーム２３の撓みを規制してアーム２３をリブ２１側に押圧させる規制部２５が設けられている。
【００２２】
さらに、規制アーム１３は検知部材７に撓み可能にロックアーム１１の上部に設けられ、雌ハウジング５にはロックアーム１１がロック部９の上部に位置したとき規制アーム１３と当接して一対のハウジング３，５と検知部材７とを嵌合不能にさせる規制当接部２７が設けられている。
【００２３】
図１〜図９に示すように、雄ハウジング３は、筒状に形成され、内部に複数の端子収容室２９が形成されている。複数の端子収容室２９には、電線（不図示）などに電気的に接続された端子（不図示）が収容されている。また、雄ハウジング３の外周側の上部には、ロック部９が外方に向かって突設されている。ロック部９には、雌ハウジング５との嵌合方向に向かって傾斜する傾斜面３１と係止面３３とが設けられている。このロック部９は、雌ハウジング５と嵌合する際に雌ハウジング５のロックアーム１１が係止面３３と係止することにより、雄ハウジング３と雌ハウジング５との嵌合状態が維持される。なお、雄ハウジング３と雌ハウジング５との間には、防水用のパッキン３５が組付けられる。
【００２４】
雌ハウジング５は、雄ハウジング３よりも大径の筒状に形成され、内部に複数の端子収容室３７が形成されている。複数の端子収容室３７には、電線（不図示）などに電気的に接続され雄ハウジング３に収容された端子と電気的に接続される相手端子（不図示）が収容されている。また、雌ハウジング５の上部には、ロックアーム１１が外周側から内周側に向けて撓み可能に設けられている。ロックアーム１１の先端には、ロック部９の係止面３３に係止される係止突部３９が設けられている。このロックアーム１１は、雄ハウジング３と嵌合する際にロック部９の傾斜面３１によって上方に撓まされ、係止突部３９が傾斜面３１を乗り越えることにより、係止突部３９と係止面３３とが係止され、ロック部９とロックアーム１１とが係止状態となる。この雌ハウジング５の外周側には、仮組用の組付用溝４１が設けられ、検知部材７が組付けられる。
【００２５】
検知部材７は、雌ハウジング５よりも大径の筒状に形成され、内部に組付用溝４１と係合する組付用リブ４３が設けられている。また、検知部材７の上部には、規制アーム１３が外周側から内周側に向けて撓み可能に設けられている。規制アーム１３は、雌ハウジング５との組付状態でロックアーム１１の上部に位置されている。この規制アーム１３は、ロックアーム１１の係止突部３９がロック部９の係止面３３と当接しているとき、すなわちロックアーム１１とロック部９が係止され一対のハウジング３，５が嵌合状態であるとき、検知部材７を仮組状態から嵌合方向に挿入させると、雌ハウジング５に形成された規制当接部２７の下部に入り込み一対のハウジング３，５と検知部材７とを嵌合させることができる。これに対して、規制アーム１３は、ロックアーム１１がロック部９の上部にあるとき、すなわちロックアーム１１とロック部９とが係止されておらず一対のハウジング３，５が半嵌合状態であるとき、検知部材７を仮組状態から嵌合方向に挿入させると、雌ハウジング５の規制当接部２７と当接して一対のハウジング３，５と検知部材７とを嵌合させることができない。このように一対のハウジング３，５と検知部材７との嵌合状態から、一対のハウジング３，５同士の嵌合状態を検知することができる。
【００２６】
このような半嵌合状態を検知することができるコネクタ１には、一対のハウジング３，５同士の嵌合における挿入力を低減させるため、挿入力低減手段として、リブ２１と、アーム２３と、規制部２５とが設けられている。
【００２７】
リブ２１は、雄ハウジング３の外周側の側部に突設されている。このリブ２１は、頂点１５から一対のハウジング３，５の嵌合方向に向けて傾斜する傾斜面１７と、頂点１５から一対のハウジング３，５の嵌合解除方向に向けて傾斜する傾斜面１９とを備えている。これらの傾斜面１７，１９のうち傾斜面１９とアーム２３とが当接することにより、挿入力が低減される。
【００２８】
アーム２３は、雌ハウジング５の外周側の側部においてリブ２１と対応する位置に撓み可能に設けられている。このアーム２３は、一対のハウジング３，５同士を嵌合させる際に、初めに先端が傾斜面１７に当接される。この状態から一対のハウジング３，５同士の嵌合をさらに進めると、アーム２３の先端は頂点１５を超えて傾斜面１９と当接する。ここで、アーム２３は可撓性であるため、初期位置に復帰する方向に押圧力を常時発生している。このため、アーム２３と傾斜面１９とが当接すると、アーム２３が傾斜面１９を押圧し、アーム２３がリブ２１を雌ハウジング５側に引き込むように作用する。これにより、雄ハウジング３が雌ハウジング５側に引き込まれ、挿入力が低減される。このアーム２３の押圧力を強化するため、検知部材７には規制部２５が設けられている。
【００２９】
規制部２５は、検知部材の側部に設けられたアーム２３の撓みを許容する凹部４５の上面にブリッジ状に設けられている。この規制部２５は、アーム２３がリブ２１の頂点１５近傍に達したときにアーム２３と当接される。この規制部２５とアーム２３との当接により、アーム２３の上方への撓みが規制され、アーム２３の傾斜面１９への押圧力が強化される。これにより、さらに一対のハウジング３，５同士の嵌合挿入力が低減される。なお、アーム２３自身の弾性力が高い場合には必ずしも規制部２５を設ける必要はないが、アーム２３自身の弾性力が高いと、挿入力が大きくなるため、アーム２３自身の弾性力をある程度高くし、規制部２５を設けることが好ましい。
【００３０】
このように構成されたコネクタ１は、まず、組付用溝４１と組付用リブ４３によって雌ハウジング５と検知部材７とを仮組させる。次に、検知部材７の手持ち部４７を把持し、仮組された雌ハウジング５と検知部材７とを雄ハウジング３に嵌合させる。この嵌合操作では、まず、アーム２３とリブ２１の傾斜面１７とが当接し、アーム２３が傾斜面１７に沿って頂点１５側に移動される。アーム２３が頂点１５近傍に達すると、アーム２３と規制部２５とが当接してアーム２３がリブ２１を押圧する押圧力が最大となる。この状態でアーム２３と傾斜面１９とが当接することにより、アーム２３が傾斜面１９を押圧しながら傾斜面１９に沿って初期位置に復帰するように、リブ２１を雌ハウジング５側に引き込みながら挿入力が低減される。このアーム２３とリブ２１との当接に同期して、ロックアーム１１は、ロック部９の傾斜面３１によって上方に撓まされ、係止突部３９が傾斜面３１を乗り越えることにより、係止突部３９と係止面３３とが係止され、ロック部９とロックアーム１１とが係止状態となる。このような操作によって、一対のハウジング３，５が嵌合状態となる。
【００３１】
この一対のハウジング３，５の嵌合状態（もしくは半嵌合状態であってもよい）で、一対のハウジング３，５に対して検知部材７を仮組状態から嵌合させる。このとき、一対のハウジング３，５が嵌合状態である場合には、規制アーム１３が規制当接部２７と当接することがなく、検知部材７を仮組状態から雄ハウジング３側に移動操作することができる。また、一対のハウジング３，５が半嵌合状態である場合には、規制アーム１３が規制当接部２７と当接し、検知部材７を仮組状態から雄ハウジング３側に移動操作させることができない。この検知部材７の操作状況により、一対のハウジング３，５の嵌合状態を検知することができる。
【００３２】
このようなコネクタ１では、検知部材７にロック部９とロックアーム１１とが係止状態であるとき一対のハウジング３，５と検知部材７とを嵌合可能にする規制アーム１３が設けられているので、ロック部９とロックアーム１１とが係止していないときには一対のハウジング３，５と検知部材７とが嵌合することができず、一対のハウジング３，５が半嵌合状態であることを検知することができる。
【００３３】
このようなコネクタ１において、雌ハウジング５に設けられたアーム２３が一対のハウジング３，５が嵌合するとき嵌合方向に向けて傾斜する傾斜面１７と当接し頂点１５を超えたときに嵌合解除方向に傾斜する傾斜面１９と当接して雄ハウジング３を雌ハウジング５側に引き込むので、一対のハウジング３，５を嵌合する際の挿入力を低減させることができる。
【００３４】
また、アーム２３とリブ２１とで嵌合方向のみの挿入操作で一対のハウジング３，５同士を嵌合させることができるので、部品点数の増加や必要面積の増加を抑制でき、コネクタ１のサイズの大型化を抑制することができる。
【００３５】
従って、半嵌合状態を検知することができるコネクタ１において、挿入力を低減することができ、サイズの大型化を抑制することができる。
【００３６】
また、検知部材７にアーム２３が頂点近傍に達したときにアーム２３の撓みを規制してアーム２３をリブ２１側に押圧させる規制部２５が設けられているので、リブ２１の頂点１５近傍でアーム２３がリブ２１を引き込む力を強化することができ、より挿入力を低減することができる。
【００３７】
さらに、雌ハウジング５にロックアーム１１がロック部９の上部に位置したとき規制アーム１３と当接して一対のハウジング３，５と検知部材７とを嵌合不能にさせる規制当接部２７が設けられているので、ロックアーム１１とロック部９とが係止していない、すなわち一対のハウジング３，５が半嵌合状態であるときには規制アーム１３と規制当接部２７とが当接することによって、一対のハウジング３，５と検知部材７とが嵌合不能となり、確実に一対のハウジング３，５の半嵌合状態を検知することができる。
【００３８】
なお、本発明の実施の形態に係るコネクタでは、一対のハウジングの半嵌合状態を検知するために検知部材を用いているが、一対のコネクタに半嵌合状態を検知することができる検知手段が設けられている場合には検知部材を用いる必要はなく、この場合さらに部品点数を削減することができる。
【符号の説明】
【００３９】
１…コネクタ
３，５…一対のハウジング
７…検知部材
９…ロック部
１１…ロックアーム
１３…規制アーム
１５…頂点
１７，１９…傾斜面
２１…リブ
２３…アーム
２５…規制部
２７…規制当接部
【図１】
2010225391.tif 000003
【図２】
2010225391.tif 000004
【図３】
2010225391.tif 000005
【図４】
2010225391.tif 000006
【図５】
2010225391.tif 000007
【図６】
2010225391.tif 000008
【図７】
2010225391.tif 000009
【図８】
2010225391.tif 000010
【図９】
2010225391.tif 000011